(57)【要約】【課題】  誤操作の防止を図る。【解決手段】  第１の筐体９と第２の筐体１０がヒンジ部１１を介して回動可能に連結されると共にマイクロフォン２１とスピーカー１２、１７を有し通話手段としての使用が可能な電話機能を兼用したマウス装置５において、第１の筐体は第２の筐体に対して一方の回動端である開放位置と他方の回動端である折畳位置との間で回動され、第２の筐体に移動方向及び移動速度を検出するためのボール又は受発光器が配置され、第１の筐体の第２の筐体に対する回動角度が折畳位置における回動角度と所定の回動角度との間の範囲にあるときにマウスとしての使用が可能なマウスモードが設定され、第１の筐体の第２の筐体に対する回動角度が開放位置における回動角度と上記所定の回動角度との間の範囲にあるときに電話としての使用が可能な電話モードが設定され、第２の筐体の側面部に、少なくともマウスモードにおいて把持したときに指が宛われる把持凹部１０ｂ、１０ｂを形成した。【選択図】図６
2007148759.tif 000002
【特許請求の範囲】
【請求項１】
第１の筐体と第２の筐体がヒンジ部を介して回動可能に連結されると共にマイクロフォンとスピーカーを有し通話手段としての使用が可能な電話機能を兼用したマウス装置であって、
第１の筐体は第２の筐体に対して一方の回動端である開放位置と他方の回動端である折畳位置との間で回動され、
第２の筐体に移動方向及び移動速度を検出するためのボール又は受発光器が配置され、
第１の筐体の第２の筐体に対する回動角度が折畳位置における回動角度と所定の回動角度との間の範囲にあるときにマウスとしての使用が可能なマウスモードが設定され、
第１の筐体の第２の筐体に対する回動角度が開放位置における回動角度と上記所定の回動角度との間の範囲にあるときに電話としての使用が可能な電話モードが設定され、
第２の筐体の側面部に、少なくともマウスモードにおいて把持したときに指が宛われる把持凹部を形成した
ことを特徴とする電話機能を兼用したマウス装置。
【請求項２】
上記第１の筐体の折畳位置において第２の筐体と対向する面に第２の筐体側に開口する逃げ凹部を形成し、
上記第２の筐体に、折畳位置において第１の筐体の上記逃げ凹部に挿入される配置用突部を設け、
該配置用突部の内部に回路基板を配置した
ことを特徴とする請求項１に記載の電話機能を兼用したマウス装置。
【発明の詳細な説明】
【技術分野】
【０００１】
本発明は電話機能を兼用したマウス装置についての技術分野に関する。詳しくは、ヒンジ部を介して第１の筐体に回動可能に連結された第２の筐体に把持凹部を形成し、誤操作の防止を図る技術分野に関する。
【背景技術】
【０００２】
情報処理機器には、例えば、複数の操作キーが設けられたキーボードと表示画面を有するディスプレイと駆動回路や制御回路等の各種の回路を内部に有する機器本体と入力装置として機能するマウス装置とを備えたパーソナルコンピューターがある。
【０００３】
一方、近年、インターネット等のデーター通信ネットワークやコンピューターの発達に伴い、従来からの交換機を介して音声通信（通話）を行う電話システムに代えて、通信ネットワークを介して特定の相手とリアルタイムに通話を行う通話サービスが急速に普及しつつある。
【０００４】
このような通信ネットワークを介して通話を行う手段として、ＩＰ（Internet  Protocol）電話と称されるものがある。
【０００５】
ＩＰ電話にあっては、音声が、例えば、マイクロフォン等の所定の音声デバイスによってアナログ信号に変換され、続いてデジタル信号に変換されて通信ネットワークを介して送信される。送信されたデジタル信号は相手先において受信されてアナログ信号に変換され、アンプによって増幅されてスピーカー等の所定の音声デバイスによって音声として出力される。
【０００６】
このようなＩＰ電話は、送信手段と受信手段を備えることにより、上記したパーソナルコンピューターによって利用することが可能である。
【０００７】
パーソナルコンピューターにおいてＩＰ電話を用いるために、電話とマウスを結合した機器がある（例えば、特許文献１参照）。
【０００８】
【特許文献１】特開２００４−１４７２７２号公報
【発明の開示】
【発明が解決しようとする課題】
【０００９】
ところが、特許文献１に記載された従来の機器にあっては、電話として使用する際にはスピーカーを有する第１の筐体とマイクロフォンを有する第２の筐体とを結合し、マウスとして使用する際には第１の筐体と第２の筐体を分離しなければならず、使用時に着脱の必要があるため手間がかかり使い勝手が悪いという問題がある。
【００１０】
そこで、折り畳み式の携帯電話と同様に、第１の筐体と第２の筐体を回動可能に連結し、例えば、回動角度に応じて電話とマウスを使い分けることが考慮される。
【００１１】
このような使い分けとして、例えば、折畳時にはマウスとして使用し、回動して開いた状態で電話として使用することが考慮されるが、マウスとしての使用時に、意図せず第１の筐体が第２の筐体に対して開く方向へ回動されてしまった場合に、電話としての使用が可能な電話モードが設定され誤操作となってしまうおそれがある。
【００１２】
そこで、本発明電話機能を兼用したマウス装置は、上記した問題点を克服し、誤操作の防止を図ることを課題とする。
【課題を解決するための手段】
【００１３】
本発明電話機能を兼用したマウス装置は、上記した課題を解決するために、第１の筐体は第２の筐体に対して一方の回動端である開放位置と他方の回動端である折畳位置との間で回動され、第２の筐体に移動方向及び移動速度を検出するためのボール又は受発光器が配置され、第１の筐体の第２の筐体に対する回動角度が折畳位置における回動角度と所定の回動角度との間の範囲にあるときにマウスとしての使用が可能なマウスモードが設定され、第１の筐体の第２の筐体に対する回動角度が開放位置における回動角度と上記所定の回動角度との間の範囲にあるときに電話としての使用が可能な電話モードが設定され、第２の筐体の側面部に、少なくともマウスモードにおいて把持したときに指が宛われる把持凹部を形成したものである。
【００１４】
従って、本発明電話機能を兼用したマウス装置は、マウスとしての使用時に把持凹部に指が宛われ易い。
【発明の効果】
【００１５】
本発明電話機能を兼用したマウス装置は、第１の筐体と第２の筐体がヒンジ部を介して回動可能に連結されると共にマイクロフォンとスピーカーを有し通話手段としての使用が可能な電話機能を兼用したマウス装置であって、第１の筐体は第２の筐体に対して一方の回動端である開放位置と他方の回動端である折畳位置との間で回動され、第２の筐体に移動方向及び移動速度を検出するためのボール又は受発光器が配置され、第１の筐体の第２の筐体に対する回動角度が折畳位置における回動角度と所定の回動角度との間の範囲にあるときにマウスとしての使用が可能なマウスモードが設定され、第１の筐体の第２の筐体に対する回動角度が開放位置における回動角度と上記所定の回動角度との間の範囲にあるときに電話としての使用が可能な電話モードが設定され、第２の筐体の側面部に、少なくともマウスモードにおいて把持したときに指が宛われる把持凹部を形成したことを特徴とする。
【００１６】
従って、マウスとしての使用時に、第１の筐体の第２の筐体に対する誤った回動を防止して誤操作による電話モードの設定を防止することができる。
【００１７】
請求項２に記載した発明にあっては、上記第１の筐体の折畳位置において第２の筐体と対向する面に第２の筐体側に開口する逃げ凹部を形成し、上記第２の筐体に、折畳位置において第１の筐体の上記逃げ凹部に挿入される配置用突部を設け、該配置用突部の内部に回路基板を配置したので、回路基板の十分な配置スペースを確保した上でマウス装置の全体の厚みを最小限に形成することができる。
【発明を実施するための最良の形態】
【００１８】
以下に、本発明電話機能を兼用したマウス装置を添付図面に従って説明する。
【００１９】
先ず、マウス装置が備えられる情報処理機器（パーソナルコンピューター）について説明する。
【００２０】
情報処理機器（パーソナルコンピューター）１は、図１に示すように、ディスプレイ２と内部に駆動回路や制御回路等の各種の回路を有する機器本体３と複数の操作キーを有するキーボード４と電話機能を有するマウス装置５とを備えている。
【００２１】
機器本体３にはディスプレイ装置２とキーボード４がそれぞれ接続ケーブル６、７によって接続されている。
【００２２】
マウス装置５はマウスとしての使用が可能なマウスモードと電話としての使用が可能な電話モードとを切り替えることができる。
【００２３】
マウス装置５は機器本体３にカールコード８によって接続されている。カールコード８は両端部を除いた部分が渦巻き状に形成され、伸縮可能とされている。従って、マウス装置５の機器本体３に対する大きな移動量を確保することができる。また、カールコード８は、一部を除き渦巻き状に形成されているため、小さなスペースに配置することができる。
【００２４】
尚、マウス装置５は機器本体３とワイヤレス接続されていてもよい。ワイヤレス接続の場合には、例えば、マウス装置５がマウスとして使用されたときのマウス装置５に対する操作に応じた信号やマウス装置５が電話として使用されたときの送受信信号が機器本体３の図示しない受信部で受信可能とされる。この場合にはカールコード８を必要としない。
【００２５】
マウス装置５は第１の筐体９と第２の筐体１０がヒンジ部１１を介して回動可能に連結され、折り畳み可能とされている（図２乃至図４参照）。
【００２６】
マウス装置５は、第１の筐体９の第２の筐体１０に対する回動角度が所定の角度未満の場合には、マウスとして使用することができ、第１の筐体９の第２の筐体１０に対する回動角度が所定の角度以上の場合には、電話として使用することができる。第１の筐体９の第２の筐体１０に対する回動角度が所定の角度以上とされた場合には、電話としての使用が可能な電話モードが設定されて電話として使用するためのアプリケーションが自動的に起動され、その表示画面がディスプレイ２に表示される。
【００２７】
第１の筐体９は第２の筐体１０に対して折畳位置（図２参照）と開放位置（図４参照）との間で回動される。折畳位置は第１の筐体９の第２の筐体１０に対する回動角度が０°の状態であり、開放位置は第１の筐体９の第２の筐体１０に対する回動角度が、例えば、１５０°の状態である。
【００２８】
第１の筐体９は扁平な略矩形状に形成され、第２の筐体１０との連結方向に長くされている。第１の筐体９の折畳位置において第２の筐体１０に対向する面、即ち、内面９ａには、第１のスピーカー１２が配置されている（図４参照）。第１のスピーカー１２は内面９ａにおけるヒンジ部１１の反対側の端部に配置されている。
【００２９】
第１の筐体９には第１のスピーカー１２が配置されていない部分に、逃げ凹部１３が形成されている。逃げ凹部１３は、折畳位置において第２の筐体１０側に開口されている。第１の筐体９のうち、逃げ凹部１３が形成されていない部分は基板配置部１４として設けられ、該基板配置部１４の厚みは逃げ凹部１３の厚みより厚くされている。
【００３０】
第１の筐体９の先端部には発光部１５が配置され（図２及び図３参照）、該発光部１５は光源として、例えば、発光ダイオードを有している。発光部１５は、例えば、マウス装置５がマウスとして使用されているときに点灯し、マウス装置５が電話として使用されているときに消灯し、着信時に点滅する。
【００３１】
第１の筐体９の外面９ｂには、発光部１５の近傍の位置に回転操作が可能なホイール１６が配置されている。ホイール１６は、マウス装置５がマウスとして使用されているときに回転操作によってディスプレイ２に表示される表示画面のスクロール機能を発揮し、マウス装置５が電話として使用されているときに回転操作によって音量の調節機能を発揮する。
【００３２】
従って、マウス装置５にスクロール機能と音量の調節機能を行うための操作手段を各別に設ける必要がないため、マウス装置５の部品点数の削減及び使い勝手の向上を図ることができる。
【００３３】
第１の筐体９の外面９ｂには、ヒンジ部１１側の端部に第２のスピーカー１７が配置されている（図２参照）。第２のスピーカー１７はヒンジ部１１に寄った位置に配置されている。第２のスピーカー１７が配置された位置は、使用者がマウス装置５をマウスとして使用するときに把持した手で覆われ難い位置である。従って、後述するように折畳位置において第２のスピーカー１７から着信音が出力されるときに、掌で第２のスピーカー１７が覆われているという不都合の発生を防止することができ、着信が行われたことを耳によって確実に判断することができる。
【００３４】
第１の筐体９の外面９ｂには短手方向（左右方向）における中央部を挟んで互いに反対側にそれぞれ左釦１８Ｌと右釦１８Ｒが設けられている。
【００３５】
第１の筐体９の基板配置部１４の内部には制御回路基板１９が配置されている（図４参照）。制御回路基板１９は、第１のスピーカー１２及び第２のスピーカー１７に関する制御や左釦１８Ｌ及び右釦１８Ｒに関する制御等を行う回路を備えている。
【００３６】
第２の筐体１０は第１の筐体９と略同じ大きさの扁平な略矩形状に形成され、第１の筐体９との連結方向に長くされている（図２乃至図４参照）。第２の筐体１０はマウス装置５がマウスとして使用されるとき及び電話として後述するハンズフリー状態で使用されるときに机上等に載置される部分である。
【００３７】
折畳位置において第２の筐体１０の第１の筐体９に対向する面、即ち、内面１０ａには、マイクロフォン２０が配置されている（図３及び図４参照）。マイクロフォン２０は内面１０ａにおけるヒンジ部１１の反対側の端部に配置されている。
【００３８】
第２の筐体１０のうちマイクロフォン２０が配置されていない部分は、配置用突部２１として設けられている。第２の筐体１０のうち配置用突部２１以外の部分は薄肉部２２として設けられ、配置用突部２１の厚みは薄肉部２２の厚みより厚くされている。
【００３９】
折畳位置においては、第２の筐体１０の配置用突部２１が第１の筐体９の逃げ凹部１３に挿入された状態で位置され、第２の筐体１０の薄肉部２２と第１の筐体９の基板配置部１４が重なった状態で位置される。
【００４０】
第２の筐体１０の配置用突部２１の内部には回路基板２３が配置されている（図４及び図５参照）。回路基板２３は、マイクロフォン２０に関する制御や後述する検出スイッチに関する制御等を行う回路を備えている。
【００４１】
上記のように、第１の筐体９及び第２の筐体１０の必要な部分のみを突出させて基板配置部１４及び配置用突部２１として設けることにより、制御回路基板１９及び回路基板２３の十分な配置スペースを確保した上でマウス装置５の全体の厚みを最小限に形成することができる。
【００４２】
また、折畳位置において第１の筐体９の逃げ凹部１３に第２の筐体１０の配置用突部２１を挿入することにより、折畳位置における第１の筐体９の第２の筐体１０に対する位置ずれ、特に、左右方向における位置ずれを防止することができる。
【００４３】
第２の筐体１０の内部には、マウスとして使用されたときのマウス装置５の移動方向及び移動速度を検出するための図示しないボール又は受発光器が配置されている。
【００４４】
第２の筐体１０の左右両側面部には、それぞれマウス装置５を把持したときに指が宛われる把持凹部１０ｂ、１０ｂが形成されている（図５及び図６参照）。把持凹部１０ｂ、１０ｂは第２の筐体１０の左右両側面部の上端部において第２の筐体１０の長手方向に延びるように形成され、上方へ行くに従って外方へ変位する緩やかな曲面状に形成されている。
【００４５】
把持凹部１０ｂ、１０ｂは、主に、マウス装置５がマウスとして使用されるときに指１００、１００に把持される部分である（図６参照）。使用者がマウス装置５をマウスとして使用しているときにマウス装置５を持ち上げたとしても、把持凹部１０ｂ、１０ｂが把手として機能するため、第１の筐体９が第２の筐体１０に対して開く方向へ回動され電話モードが設定されることがない。
【００４６】
従って、マウス装置５のマウスとしての使用時に、第１の筐体９の第２の筐体１０に対する誤った回動を防止して誤操作による電話モードの設定を防止することができ、誤操作によるディスプレイ２への電話の使用に関するアプリケーションの表示という不具合の発生を回避することができる。
【００４７】
第１の筐体９は第２の筐体１０に対する回動角度が小さい角度、例えば、５°未満の位置にある場合には、図示しない付勢バネによって第２の筐体１０に近付く側へ付勢される。逆に、第１の筐体９が第２の筐体１０に対して回動角度が、例えば、５°以上の位置にある場合には、図示しない付勢バネによって第２の筐体１０から遠去かる側へ付勢される。
【００４８】
ヒンジ部１１の軸方向における一端部には開放釦２４が設けられている（図２乃至図４参照）。折畳位置において開放釦２４を押圧操作すると、第１の筐体９が第２の筐体１０に対して、例えば、回動角度５０°の位置まで回動される（図３参照）。
【００４９】
第２の筐体１０の内部には、開閉検出機構２５と角度検出機構２６が設けられている（図７参照）。
【００５０】
開閉検出機構２５は回転カム２７と操作軸２８と支持板２９とバネ部材３０と開閉検出スイッチ３１とを備えている。
【００５１】
回転カム２７は円板部２７ａと該円板部２７ａの外周面の一部から放射方向へ突出されたカム突部２７ｂとから成り、第１の筐体９の第２の筐体１０に対する回動動作に伴って同じ方向へ回転される。
【００５２】
操作軸２８はカム摺接部２８ａと支持軸部２８ｂとから成り、カム摺接部２８ａの外径が支持軸部２８ｂの外径より大きくされている。カム摺接部２８ａの軸方向における一端面は回転カム２７の外周面と摺接される。
【００５３】
支持板２９には挿通孔２９ａが形成され、該挿通孔２９ａに操作軸２８の支持軸部２８ｂが挿通されている。
【００５４】
バネ部材３０は、例えば、圧縮コイルバネであり、操作軸２８の支持軸部２８ｂに支持され、カム摺接部２８ａの軸方向における他端面と支持板２９との間で縮設されている。
【００５５】
開閉検出スイッチ３１は本体３１ａと該本体３１ａに対して移動される検出軸３１ｂとを有している。開閉検出スイッチ３１は操作軸２８を挟んで回転カム２７の反対側の位置に配置されている。
【００５６】
開閉検出機構２５において回転カム２７が回転されると、該回転カム２７に対するカム摺接部２８ａの接触位置に応じて操作軸２８が軸方向へ移動される。
【００５７】
操作軸２８のカム摺接部２８ａが回転カム２７のカム突部２７ｂに接触されると、操作軸２８がバネ部材３０の付勢力に抗して開閉検出スイッチ３１に近付く方向へ移動され、支持軸部２８ｂによって開閉検出スイッチ３１の検出軸３１ｂが押圧操作され、開閉検出スイッチ３１がＯＮ状態とされる。一方、操作軸２８のカム摺接部２８ａが回転カム２７の円板部２７ａに接触されると、操作軸２８がバネ部材３０の付勢力によって開閉検出スイッチ３１から遠去かる方向へ移動され、支持軸部２８ｂによる開閉検出スイッチ３１の検出軸３１ｂに対する押圧操作が解除され、開閉検出スイッチ３１がＯＦＦ状態とされる。
【００５８】
開閉検出機構２５においては、第１の筐体９の第２の筐体１０に対する回動角度が、例えば、０°乃至５°までの範囲で開閉検出スイッチ３１がＯＦＦ状態とされ、第１の筐体９の第２の筐体１０に対する回動角度が、例えば、５°乃至５５°までの範囲で開閉検出スイッチ３１がＯＮ状態とされ、第１の筐体９の第２の筐体１０に対する回動角度が、例えば、５５°乃至１５０°までの範囲で開閉検出スイッチ３１がＯＦＦ状態とされる。
【００５９】
角度検出機構２６はカム板３２とカムフォロア軸３３と支持板３４とバネ３５と角度検出スイッチ３６とを備えている。
【００６０】
カム板３２は円板部３２ａと該円板部３２ａの外周部の一部に形成されたカム凹部３２ｂとから成り、第１の筐体９の第２の筐体１０に対する回動動作に伴って同じ方向へ回転される。
【００６１】
カムフォロア軸３３はカム摺接部３３ａと支持軸部３３ｂとから成り、カム摺接部３３ａの外径が支持軸部３３ｂの外径より大きくされている。カム摺接部３３ａの軸方向における一端面はカム板３２の外周面と摺接される。
【００６２】
支持板３４には挿通孔３４ａが形成され、該挿通孔３４ａにカムフォロア軸３３の支持軸部３３ｂが挿通されている。
【００６３】
バネ３５は、例えば、圧縮コイルバネであり、カムフォロア軸３３の支持軸部３３ｂに支持され、カム摺接部３３ａの軸方向における他端面と支持板３４との間で縮設されている。
【００６４】
角度検出スイッチ３６は本体３６ａと該本体３６ａに対して移動される検出軸３６ｂとを有している。角度検出スイッチ３６はカムフォロア軸３３を挟んでカム板３２の反対側の位置に配置されている。
【００６５】
角度検出機構２６においてカム板３２が回転されると、該カム板３２に対するカム摺接部３３ａの接触位置に応じてカムフォロア軸３３が軸方向へ移動される。
【００６６】
カムフォロア軸３３のカム摺接部３３ａがカム板３２の円板部３２ａの外周面に接触されると、カムフォロア軸３３がバネ３５の付勢力に抗して角度検出スイッチ３６に近付く方向へ移動され、支持軸部３３ｂによって角度検出スイッチ３６の検出軸３６ｂが押圧操作され、角度検出スイッチ３６がＯＮ状態とされる。一方、カムフォロア軸３３のカム摺接部３３ａがカム板３２のカム凹部３２ｂに接触されると、カムフォロア軸３３がバネ３５の付勢力によって角度検出スイッチ３６から遠去かる方向へ移動され、支持軸部３３ｂによる角度検出スイッチ３６の検出軸３６ｂに対する押圧操作が解除され、角度検出スイッチ３６がＯＦＦ状態とされる。
【００６７】
角度検出機構２６においては、第１の筐体９の第２の筐体１０に対する回動角度が、例えば、０°乃至４５°までの範囲で角度検出スイッチ３６がＯＦＦ状態とされ、第１の筐体９の第２の筐体１０に対する回動角度が、例えば、４５°乃至１５０°までの範囲で角度検出スイッチ３６がＯＮ状態とされる。
【００６８】
以下に、マウス装置５の開閉時、即ち、第１の筐体９の第２の筐体１０に対する回動時における動作について説明する（図７乃至図１２参照）。図１２は各部の動作状態を示すチャート図である。
【００６９】
折畳位置（回動角度０°）においては、開閉検出スイッチ３１及び角度検出スイッチ３６ともＯＦＦ状態であり（図７及び図１２参照）、マウス装置５のモードはマウスモードとされている（図１２参照）。従って、マイクロフォン２０、第１のスピーカー１２、第２のスピーカー１７がＯＦＦ状態（使用不能状態）とされている。
【００７０】
折畳位置において着信されると、第２のスピーカー１７がＯＮ状態に切り替わり、着信音が出力される（図１２参照）。このとき、上記したように、第１の筐体９に設けられた発光部１５が点滅する。着信音は第１の筐体９が回動され所定の回動角度、例えば、回動角度４５°となるまで、例えば、第２のスピーカー１７から出力される。
【００７１】
折畳位置から第１の筐体９が開放位置へ向けて回動されると、回動角度５°において、開閉検出スイッチ３１がＯＮ状態とされる（図８及び図１２参照）。
【００７２】
第１の筐体９がさらに開放位置へ向けて回動されると、回動角度４５°において、角度検出スイッチ３６がＯＮ状態とされる（図９及び図１２参照）。従って、開閉検出スイッチ３１及び角度検出スイッチ３６ともＯＮ状態となり、マウス装置５のモードがマウスモードから電話モードに切り替わる（図１２参照）。同時に、マイクロフォン２０がＯＮ状態とされ音声の入力が可能とされる。このとき、着信があったときには、上記したように、既に第２のスピーカー１７がＯＮ状態とされ音声の出力が可能とされているが、着信がなかったときには第２のスピーカー１７がＯＦＦ状態からＯＮ状態に切り替わり、音声の出力が可能とされる。従って、使用者は、例えば、マウス装置５を把持することなく所謂ハンズフリーの状態で机上等に載置したままマウス装置５を電話として使用することができる。
【００７３】
尚、マウス装置５にあっては、上記したように、ヒンジ部１１の一端部に設けられた開放釦２４を押圧操作することにより、第１の筐体９が第２の筐体１０に対して回動角度５０°の位置まで回動される（図３参照）。従って、使用者は、回動角度５０°の状態において、所謂ハンズフリーの状態でマウス装置５を電話として使用することができる。
【００７４】
さらに第１の筐体９が開放位置へ向けて回動されると、回動角度５５°において、開閉検出スイッチ３１がＯＦＦ状態とされる（図１０及び図１２参照）。尚、回動角度５０°の状態から開放位置へ向けての第１の筐体９の回動は、手動により行う。
【００７５】
開閉検出スイッチ３１がＯＦＦ状態とされると、第１のスピーカー１２がＯＮ状態とされると共に第２のスピーカー１７がＯＦＦ状態とされ、音声の出力先が第２のスピーカー１７から第１のスピーカー１２に切り替わる。
【００７６】
さらに第１の筐体９が開放位置へ向けて回動されると、回動角度１５０°において開放位置に至る（図１１参照）。このとき音声の入力先がマイクロフォン２０とされ、音声の出力先が第１のスピーカー１２とされており（図１２参照）、使用者は、例えば、マウス装置５を把持して所謂折り畳み式の携帯電話と同様の状態でマウス装置５を電話として使用することができる。
【００７７】
一方、第１の筐体９が開放位置（回動角度１５０°）から折畳位置へ向けて回動されると、回動角度５５°において、開閉検出スイッチ３１がＯＮ状態とされる（図１２参照）。尚、開放位置から折畳位置へ向けての第１の筐体９の回動は、全て手動により行う。
【００７８】
開閉検出スイッチ３１がＯＮ状態とされると、第１のスピーカー１２がＯＦＦ状態とされると共に第２のスピーカー１７がＯＮ状態とされ、音声の出力先が第１のスピーカー１２から第２のスピーカー１７に切り替わる。マウス装置５は図示しない機構により、一旦、回動角度５０°の状態（図３参照）に保持される。
【００７９】
第１の筐体９がさらに折畳位置へ向けて回動されると、回動角度４５°において、角度検出スイッチ３６がＯＦＦ状態とされる（図１２参照）。このとき、マイクロフォン２０がＯＦＦ状態とされ音声の入力が不能とされ、第２のスピーカー１７がＯＦＦ状態とされ音声の出力も不能とされる。
【００８０】
さらに第１の筐体９が折畳位置へ向けて回動されると、回動角度５°において、開閉検出スイッチ３１がＯＦＦ状態とされる（図１２参照）。従って、開閉検出スイッチ３１及び角度検出スイッチ３６ともＯＦＦ状態となり、マウス装置５のモードが電話モードからマウスモードに切り替わる。従って、使用者はマウス装置５をマウスとして使用することができる。
【００８１】
尚、上記には、第１の筐体９が開放位置から折畳位置へ向けて回動されたときに、回動角度４５°においてマイクロフォン２０及び第２のスピーカー１７がＯＦＦ状態とされる例を示したが、例えば、回動角度５°まで回動されマウス装置５のモードが電話モードからマウスモードに切り替わるときに、同時に、マイクロフォン２０及び第２のスピーカー１７がＯＦＦ状態とされるようにすることも可能である。
【００８２】
さらに第１の筐体９が折畳位置へ向けて回動されると、回動角度０°において折畳位置に至る。
【００８３】
尚、マウス装置５にあっては、マウスモードにおいてのみマウス装置５の移動方向及び移動速度を検出するためのボール又は受発光器の駆動状態がＯＮ状態とされ、マウス装置５のマウスとしての使用が可能とされる。
【００８４】
上記したように、マウス装置５にあっては、第１の筐体９が第２の筐体１０に対して回動されたときに、第１の筐体９の第２の筐体１０に対する回動角度に応じてマウスモードと電話モードとの切替が行われる。
【００８５】
従って、従来の機器のように、マウスと電話の使用の切替を行う際に第１の筐体と第２の筐体を着脱する必要がなく、簡単な操作によりモードの切替を行うことができ、使い勝手の向上を図ることができる。
【００８６】
また、第１の筐体９の第２の筐体１０に対する回動角度に応じて音声の出力先が第１のスピーカー１２と第２のスピーカー１７との間で切り替わるため、マウス装置５の使用態様（ハンズフリーの状態での使用と携帯電話と同様の把持した状態での使用）に即してマウス装置５を電話として使用することができる。
【００８７】
さらに、第１の筐体９の第２の筐体１０に対する回動角度に応じてマイクロフォン２０の使用状態が切り替わるため、マウス装置５に関してマウス及び電話としての良好な機能性を確保することができる。
【００８８】
尚、マウス装置５にあっては、第２のスピーカー１７からの音声の最大出力が第１のスピーカー１２からの音声の最大出力より大きく設定されている。マウス装置５の電話としての使用時には、一般に、音声の出力先が第２のスピーカー１７に設定されているときには所謂ハンズフリーの状態でマウス装置５から耳を遠ざけて音声を聞き、音声の出力先が第１のスピーカー１２に設定されているときにはマウス装置５を把持して所謂携帯電話と同様の状態でマウス装置５に耳を宛って音声を聞く。従って、第２のスピーカー１７からの音声の最大出力を第１のスピーカー１２からの音声の最大出力より大きく設定することにより、回動角度の相違による使用態様に拘わらずマウス装置５の電話としての良好な使用状態を確保することができる。
【００８９】
また、マウス装置５にあっては、マウスモードと電話モードの切替を、第１の筐体９の第２の筐体１０に対する回動方向、即ち、折畳位置から開放位置へ向けての回動方向と開放位置から折畳位置へ向けての回動方向とに応じて異なる回動角度（回動角度５°と回動角度４５°）において行うようにしている。
【００９０】
従って、マウス装置５のマウスとしての使用時に誤って第１の筐体９が第２の筐体１０に対して開く方向へ回動してしまった場合においても、一定の回動角度（４５°）までの回動であれば、電話モードに切り替わらないためマウスとしての良好な使用状態を確保することができ、また、マウス装置５の電話としての使用時に誤って第１の筐体９が第２の筐体１０に対して閉じる方向へ回動してしまった場合においても、一定の回動角度（５°）までの回動であれば、マウスモードに切り替わらないため通信が途絶えるようなことがなく電話としての良好な使用状態を確保することができる。
【００９１】
尚、上記には、マウスモードと電話モードの切替を、第１の筐体９の第２の筐体１０に対する回動方向に応じて異なる回動角度において行うようにした例を示したが、マウスモードと電話モードの切替を、第１の筐体９の第２の筐体１０に対する回動方向に因らず同じ回動角度において行うようにすることも可能である。
【００９２】
また、上記した各部についてのＯＮ・ＯＦＦの制御に関する第１の筐体９の第２の筐体１０に対する回動角度は何れも一例を示したものであり、各部についてのＯＮ・ＯＦＦの制御に関する回動角度は、折畳位置と開放位置との間の回動角度において任意に設定することが可能である。
【００９３】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００９４】
【図１】図２乃至図１２と共に本発明の最良の形態を示すものであり、本図は、マウス装置が備えられた情報処理機器の一例を示す概略斜視図である。
【図２】第１の筐体が折畳位置にある状態を示すマウス装置の斜視図である。
【図３】第１の筐体が折畳位置と開放位置との間の位置にある状態を示すマウス装置の斜視図である。
【図４】第１の筐体が開放位置にある状態を示すマウス装置の斜視図である。
【図５】一部を断面にして示す概略斜視図である。
【図６】マウス装置をマウスとして使用する際の一例を示す概略図である。
【図７】図８乃至図１１と共に第１の筐体が第２の筐体に対して回動されたときの開閉検出機構と角度検出機構の動作状態を示すものであり、本図は、回動角度０°（折畳位置）の状態を示す拡大側面図である。
【図８】回動角度５°の状態を示す拡大側面図である。
【図９】回動角度４５°の状態を示す拡大側面図である。
【図１０】回動角度５５°の状態を示す拡大側面図である。
【図１１】回動角度１５０°（開放位置）の状態を示す拡大側面図である。
【図１２】第１の筐体の第２の筐体に対する回動時における各部の動作状態を示すチャート図である。
【符号の説明】
【００９５】
５…マウス装置、９…第１の筐体、１０…第２の筐体、１０ｂ…把持凹部、１１…ヒンジ部、１２…第１のスピーカー、１３…逃げ凹部、１７…第２のスピーカー、２０…マイクロフォン、２１…配置用突部、２３…回路基板
【図１】
2007148759.tif 000003
【図２】
2007148759.tif 000004
【図３】
2007148759.tif 000005
【図４】
2007148759.tif 000006
【図５】
2007148759.tif 000007
【図６】
2007148759.tif 000008
【図７】
2007148759.tif 000009
【図８】
2007148759.tif 000010
【図９】
2007148759.tif 000011
【図１０】
2007148759.tif 000012
【図１１】
2007148759.tif 000013
【図１２】
2007148759.tif 000014